(57)【要約】【課題】メインパルスとサブパルスを利用して所定の遅延時間なく光ディスクにデータを記録するレーザーダイオード駆動装置及び方法を提供すること。【解決手段】製造社及び各記録ピットに対応して予め貯蔵された変数を検出し(S10)、この変数に基づいてメインパルスと所定幅を有するサブパルスを発生する(S21)。サブパルスは、メインパルスよりも所定時間前に発生し(S22)、これらのパルスの下で光ピックアップ内のレーザーダイオードを駆動する駆動信号を出力して(S23)、光ディスク上にデータを記録する(S24)。本発明は、オーバーパワーのない駆動信号により記録ピットを形成して最適の記録方式を適用する変数の検出と貯蔵による作業量及び所要時間を少なくし、かつモード１のように所望時点に所望の大きさの記録ピットを正確に安定して形成するので、記録品質が向上する。【選択図】図６
2004213877.tif 000002
【特許請求の範囲】
【請求項１】
データを記録する光ピックアップ手段と、
この光ピックアップ手段を駆動するための駆動信号を出力して、前記光ピックアップ手段の光パワーを調節する駆動手段と、
前記駆動信号のためのメインパルスと所定幅を有するサブパルスを発生し、このサブパルスを前記メインパルスよりも所定時間前に出力させる制御手段と、を含むこと特徴とするレーザーダイオード駆動装置。
【請求項２】
前記サブパルスは、前記所定時間、前記メインパルスと重なることを特徴とする請求項１に記載の装置。
【請求項３】
前記サブパルスの信号レベルと前記メインパルスの信号レベルは、同一であることを特徴とする請求項１に記載の装置。
【請求項４】
前記駆動手段は、前記メインパルスの大きさ及び前記メインパルスのオン／オフタイミングを示す信号と、前記サブパルスの大きさ及び前記サブパルスのオン／オフタイミングを示す信号により動作することを特徴とする請求項１に記載の装置。
【請求項５】
前記メインパルス及びサブパルスの開始タイミング、終了タイミング、そして大きさを示す変数を各記録ピットの大きさによって貯蔵する貯蔵手段をさらに含み、前記制御手段は、前記変数のうち各記録ピットの大きさに該当する一部変数を利用して前記メインパルス及びサブパルスを出力することを特徴とする請求項１に記載の装置。
【請求項６】
前記サブパルスの幅は、記録ピットの大きさと関係なく一定であることを特徴とする請求項５に記載の装置。
【請求項７】
前記メインパルス及びサブパルスの開始タイミング、終了タイミング、そして大きさを示す変数を各ディスク製造者別に貯蔵する貯蔵手段をさらに含み、前記制御手段は、前記変数のうちディスク製造者に該当する変数を利用して前記メインパルス及びサブパルスを出力することを特徴とする請求項１に記載の装置。
【請求項８】
光ディスクの製造者及び各記録ピットに対応してあらかじめ貯蔵された変数を確認する第１段階と、
前記確認された変数に基づくメインパルスと所定幅を有するサブパルスとを発生し、前記サブパルスを前記メインパルスよりも所定時間前に出力する第２段階と、
前記メインパルスとサブパルスのもとで光ピックアップ内部レーザーダイオードを駆動するための駆動信号を出力する第３段階と、
前記駆動信号により調節される光パワーにより、光ディスク上にデータを記録する第４段階と、を含んでいることを特徴とする光ディスクにデータを記録するためのレーザーダイオード駆動方法。
【請求項９】
前記サブパルスは、前記メインパルスと同一な信号レベルと１Ｔ未満のパルス幅を有することを特徴とする請求項８に記載の方法。
【請求項１０】
前記確認された貯蔵された変数は、前記メインパルスの大きさ及びオン／オフタイミングを示す変数と前記サブパルスの大きさ及びオン／オフタイミングを示す変数を含むことを特徴とする請求項８に記載の方法。
【請求項１１】
記録部を駆動するためにサブパルスを発生する段階と、
前記記録部を駆動するためにメインパルスを発生する段階と、
前記サブパルスを前記メインパルスより先に出力することによって、前記サブパルスと前記メインパルスのもとでデータを記録するための前記記録部を制御する段階と、を含むことを特徴とする光貯蔵媒体に情報を記録する方法。
【請求項１２】
前記サブパルスは、前記メインパルスよりも所定時間前に出力され、前記所定時間は前記サブパルスのデューティー比に基づいて決められることを特徴とする請求項１１に記載の方法。
【請求項１３】
前記デューティー比は、５０％であることを特徴とする請求項１２に記載の方法。
【請求項１４】
前記光貯蔵媒体に貯蔵されたタイミングデータに基づいて前記デューティー比を検出する段階をさらに含むことを特徴とする請求項１２に記載の方法。
【請求項１５】
前記サブパルスは、前記メインパルスよりも所定時間前に出力され、前記所定時間は、前記光貯蔵媒体の種類または前記サブパルスの幅に基づいて決められることを特徴とする請求項１１に記載の方法。
【請求項１６】
前記サブパルスの幅は、Ｔ／３２であることを特徴とする請求項１５に記載の方法。
【請求項１７】
前記光貯蔵媒体に貯蔵されたタイミングデータに基づいて前記サブパルスの幅を検出する段階をさらに含むことを特徴とする請求項１５に記載の方法。
【請求項１８】
前記光貯蔵媒体から情報を読む段階と、
前記情報に基づいて前記光貯蔵媒体の製造者を確認する段階と、をさらに含むことを特徴とする請求項１１に記載の方法。
【請求項１９】
前記情報には前記媒体に含まれたコンテンツに関するテーブルから読んだリードアウト領域の開始時間、リードイン領域の開始時間または媒体ＩＤが含まれることを特徴とする請求項１８に記載の方法。
【請求項２０】
前記製造者と関連したタイミング情報を検索する段階と、
前記検索されたタイミング情報に基づいて、前記サブパルスを、前記メインパルスよりも所定時間前に出力する段階と、をさらに含むことを特徴とする請求項１８に記載の方法。
【請求項２１】
記録部を駆動するためのサブパルスを、前記記録部を駆動するためのメインパルスの前に出力させるプロセッサと、
前記メインパルスと前記サブパルスに基づいて光貯蔵媒体にデータを記録する前記記録部を駆動させるドライバーと、を含むことを特徴とする装置。
【請求項２２】
前記プロセッサは、前記サブパルスを、前記メインパルスよりも、前記サブパルスのデューティー比に基づいて決められる所定時間前に出力することを特徴とする請求項２１に記載の装置。
【請求項２３】
前記プロセッサは、前記光貯蔵媒体に貯蔵されたタイミングデータに基づいて前記デューティー比を決定することを特徴とする請求項２２に記載の装置。
【請求項２４】
前記プロセッサは、前記サブパルスを、前記メインパルスよりも、前記光貯蔵媒体の種類または前記サブパルスの幅に基づいて決められる所定時間前に出力することを特徴とする請求項２１に記載の装置。
【請求項２５】
前記プロセッサは、前記光貯蔵媒体に貯蔵されたタイミングデータに基づいて前記サブパルスの幅を決定することを特徴とする請求項２４に記載の装置。
【請求項２６】
前記光貯蔵媒体から情報を読み込む読み出し部をさらに含み、前記プロセッサは、前記読み込んだ情報に基づいて前記光貯蔵媒体の製造者を確認することを特徴とする請求項２１に記載の装置。
【請求項２７】
前記製造者と関連したタイミング情報を貯蔵するメモリーをさらに含み、前記プロセッサは、前記メモリーから検索したタイミング情報に基づいて、前記サブパルスを、前記メインパルスよりも所定時間前に出力することを特徴とする請求項２６に記載の装置。
【発明の詳細な説明】
【技術分野】
【０００１】
本発明は、光記録装置と方法に係り、詳細には、光ディスクにデータを記録するためのレーザーダイオード駆動装置及び方法に関するものである。
【背景技術】
【０００２】
ＣＤ−Ｒのような記録用光ディスクに対する仕様を記述するオレンジブック（Orange Book）によれば、光ディスクにデータを記録する場合、モード１（Orange １）またはモード２（Orange ２）の記録方法が適用される。これらのモード１とモード２の記録方法を詳細に説明すると次の通りである。
【０００３】
モード１記録方法は、光ディスクの媒質特性を考慮してオーバーパワー（Overpower）を適用した記録方法であって、一般的に記録のために光ピックアップのＬＤ（Laser  Diode）を駆動する時、ＬＤの特性上信号のライジングエッジ（Rising edge）で所定の遅延時間（Delay  Time）が生じることにより所望する時点に所望する大きさの記録ピットが形成されない。これを考慮してモード１記録方法では、記録パワーオン時点でオーバーパワーを印加するようになる。すなわち、図１のようなＬＤ駆動信号を光ピックアップのＬＤに印加して、実際に駆動信号の波形において信号のライジングエッジを速く形成させて問題点を解消するようになる。
【０００４】
しかし、モード１記録方法は、上記したようにオーバーパワーにより信号のライジング時間が速くなり、記録ピットの初期形成が正確で安定的になされる長所を有する反面、オーバーパワーを有するＬＤ駆動信号を発生するために、多くの変数を設定しなければならない。この時設定しなければならない変数としては、図２に示したように駆動電圧であるＶＲＤＣ以外にも、ＰＥＯ、ＬＤＨ駆動パルスを発生するためのＴｄ、Ｔｆ、ＴｗとＶＷＤＣ１、ＶＷＤＣ２が含まれる。
【０００５】
したがって、モード１記録方法を適用するためには、各ディスク製造者（ディスクコード）別の各記録ピット３Ｔ〜１１Ｔに対応する上記変数を検出して、これをメモリーに貯蔵しなければならない。特にＴｄ、Ｔｆ、Ｔｗなどは、各ディスク製造者及び各記録ピット別にその値が相異なるので、変数の検出及びメモリー貯蔵による作業量及び所要時間が大きくなる問題点があった。
【０００６】
一方、モード２記録方法は、オーバーパワーがない駆動信号、すなわち図４のようなＬＤ駆動信号を光ピックアップのＬＤに印加して記録ピットを形成する方法であって、この時にはＶＷＤＣ２値が要らないので、変数としてＴｄ、Ｔｆ、ＶＲＤＣ、ＶＷＤＣ１だけを設定すればよい。
【０００７】
しかし、モード２記録方法は、モード１記録方法に比べて作業量及び所要時間が少ない長所がある反面、ＬＤの特性上、信号のライジングエッジで所定の遅延時間が生じることにより記録ピットの初期形成が正確になされなくて記録マークの品質が低下するが、このような記録マークの品質の低下は、高倍速記録時において、さらに甚だしい問題点があった。
【発明の開示】
【発明が解決しようとする課題】
【０００８】
したがって、本発明の目的は、上記のような問題点を解決して以下に記述される長所を提供することである。
【０００９】
本発明の他の目的は、記録動作を遂行する時、所定の遅延時間なく所望する時点に所望する大きさの記録ピットを形成する装置と方法を提供することである。
【００１０】
本発明の他の目的は、記録動作を遂行する時、事前に作られたメインパルスとサブパルスを利用して所定の遅延時間なく所望する時点に所望する大きさの記録ピットを形成する装置と方法を提供することある。
【００１１】
本発明のまた他の目的は、従来のモード１のようにオーバーパワーがなくてモード２のように所定の遅延時間が無いようにするＬＤ駆動信号を利用して記録動作を遂行することによって、光ディスクにデータを記録するためのＬＤ駆動装置と方法を提供することを目的にする。
【課題を解決するための手段】
【００１２】
上記の目的を達成するために、本発明に係る光ディスクにデータを記録するためのレーザーダイオード駆動装置は、データを記録する光ピックアップ部と、この光ピックアップ部を駆動するための駆動信号を出力して、光ピックアップ部の光パワーを調節する駆動部と、駆動信号のためのメインパルスと所定幅を有するサブパルスを発生し、サブパルスをメインパルスより所定時間前に出力させる制御部とを含んで構成されることを特徴とする。
【００１３】
また、本発明による光貯蔵媒体に情報を記録する方法は、記録部を駆動するためにサブパルスを発生する段階と、記録部を駆動するためにメインパルスを発生する段階と、サブパルスをメインパルスよりも先に出力することによって、サブパルスとメインパルスのもとでデータを記録するための記録部を制御する段階とを含むことを特徴とする。
【００１４】
また、本発明による装置は、記録部を駆動するためのサブパルスを、記録部を駆動するためのメインパルス前に出力させるプロセッサと、光貯蔵媒体にデータを記録するためにメインパルスとサブパルスに基づいて記録部を駆動させるドライバーを含んで構成されることを特徴とする。
【発明の効果】
【００１５】
上記のように構成される本発明による光ディスクにデータを記録するためのレーザーダイオード駆動装置及び方法は、従来のモード２（Orange ２）の記録方法のようにオーバーパワーがない駆動信号を利用してデータを記録することによって、最適の記録方式を適用するための変数の検出と貯蔵による作業量及び所要時間が少なくなり、かつ、記録動作遂行時には、従来のモード１（Orange １）記録方法のように所望する時点に所望する大きさの記録ピットが正確で安定的に形成されることによって、記録品質が向上する。
【発明を実施するための最良の形態】
【００１６】
以下、本発明による光ディスクにデータを記録するためのレーザーダイオード駆動装置及び方法の望ましい実施形態に対して、添付した図面に基づいて詳細に説明する。
【００１７】
図５は、本発明による光ディスク１０にデータを記録するためのレーザーダイオード駆動装置が具現された光ディスク装置の望ましい一実施形態の構成を示したものである。光ディスク装置には、光ディスク１０上にデータを記録しかつ光ディスク１０の記録面から記録信号を検出するための光ピックアップ２０が含まれる。デジタル記録信号処理部３０ａでは、望ましくは、入力されるデジタルデータにエラー訂正コード（ＥＣＣ：Error Correction Code）などを付加して記録フォーマットに変換した後、記録フォーマットに変換されたデータをビットストリームに再変換して、ビットストリームに基づいてメインパルスを出力し、この時、既に設定されたパルス幅を有するサブパルスを発生して、このサブパルスをメインパルスよりも所定時間先に出力させる。ＲＦ（Radio Frequency）部４０では、望ましくは、駆動電圧ＶＤＲＣ、ＶＷＤＣ１、ＶＷＤＣ２を出力して、また光ピックアップ２０で検出される信号を濾波整形化させて二進信号で出力する。
【００１８】
光ディスク装置には、ＬＤ駆動器（駆動手段）５０が設けられ、このＬＤ駆動器は、デジタル記録信号処理部３０ａ及びＲＦ部４０から入力される駆動パルス及び駆動電圧からＬＤ駆動信号を出力し、さらに、光ピックアップ２０の光パワーを調節する。そして、ドライブ部７０は、スピンドルモーターＭ及び光ピックアップ２０を回転駆動させて、サーボー部６０は、光ピックアップ２０のサーボエラー信号Ｆ．Ｅ．、Ｔ．Ｅ．と光ディスク１０の回転速度からドライブ部７０の駆動を制御し、また、デジタル再生信号処理部３０ｂは、二進信号に位相同期された内蔵クロックで二進信号を元来のデータに復元する。また、ＲＯＭ８１には、各ディスク製造者別（ディスクコード別）に各記録ピット３Ｔ〜１１Ｔに対して最適または所望する記録方式（Write  Strategy）を適用するための変数が貯蔵され、また、マイコン８０は、ＲＯＭ８１に貯蔵された変数に基づいて記録動作を遂行する。
【００１９】
この時、光ピックアップ２０のレーザーダイオード（ＬＤ）は、ＬＤ駆動器５０のＬＤ駆動信号（望ましくは電流値）により動作するようになり、ＬＤ駆動器５０は、駆動電圧ＶＲＤＣ、ＶＷＤＣ１、ＶＷＤＣ２と駆動パルスＰＷＯ、ＰＥＯ、ＬＤＨにより、ＬＤ駆動信号をＬＤ駆動装置に出力する。
【００２０】
以下では、本発明において用いられる各駆動パルス及び駆動電圧を説明する。
ＶＲＤＣは、望ましくはデータを読み出す時（Read）必要な駆動電圧になって、ＶＷＤＣ１は、望ましくはデータを記録（Write）する時必要なメーン駆動電圧になり、ＶＷＤＣ２は、望ましくはＶＷＤＣ１によりデータを記録する時、記録ピットの初期形成が正確で安定的になされるようにするためにさらに与えられるオーバーパワーに相応するサブ駆動電圧になる。
【００２１】
また、ＰＷＯは、ＶＲＤＣの駆動パルスになることができ、ＰＥＯは、ＶＷＤＣ１の駆動パルスであってメインパルスとして用いられることができ、ＬＤＨは、オーバーパワーであるＶＷＤＣ２の駆動パルスであってサブパルスとして用いられることができる。この時、サブパルスの信号レベルは、望ましくはメインパルスの信号レベルと同一にする。しかし、本発明はこれに限定されるものではない。
【００２２】
一方、駆動電圧ＶＲＤＣ、ＶＷＤＣ１、ＶＷＤＣ２は、望ましくはＲＦ部４０がＬＤ駆動器５０に出力するが、デジタル記録信号処理部３０ａが駆動電圧をＬＤ駆動器５０に出力することも可能であり、また、望ましくはデジタル記録信号処理部３０ａがＬＤ駆動器５０に駆動パルスを出力する。
【００２３】
図６は、本発明による光ディスクにデータを記録するためのレーザーダイオード駆動方法に対する望ましい一実施形態の動作フローチャートを示したものである。以下では、図５の装置の動作と並行して、本発明による図６の駆動方法に対して詳細に説明する。
【００２４】
まず、本発明において、各ディスク製造者別の各記録ピットに対応する最適の記録方式を適用するための変数として、ＶＲＤＣ以外に、メインパルスであるＰＥＯを発生するためのＴｄ、Ｔｆ、及びサブパルスであるＬＤＨを発生するためのＴａ、Ｔｂ、さらに、ＶＷＤＣ１、ＶＷＤＣ２が含まれる。Ｔｄ及びＴｆは、メインパルスのオン／オフタイミングを示すことができて、またＴａ及びＴｂは、サブパルスのオン／オフタイミングを示すことができる。
【００２５】
一方、本発明の望ましい実施形態において、ＶＷＤＣ２をＶＷＤＣ１と同一な値で用いるので、各ディスク製造者及び各記録ピット別に対応するＶＷＤＣ１を検出して、これをＲＯＭ８１等に貯蔵することができる。Ｔｄ、Ｔｆも各ディスク製造者及び各記録ピット別に対応する値を検出して、ＲＯＭ８１等に貯蔵することができる。また、Ｔａ及びＴｂは、望ましくは各ディスク製造者別に記録ピットである３Ｔ〜１１Ｔに対して同一な値が用いられるので、各ディスク製造者別に対応する値を検出して、ＲＯＭ８１等に貯蔵するようになる。
【００２６】
一方、本発明において、Ｔａは実験により検出された値であって、望ましくはデューティー比５０％であって、Ｔｂも実験により検出された値であって、例えばＴ／３２になることができる。Ｔａ及びＴｂは、ディスク製造者別にその値が相異なる場合がある。
【００２７】
このような状態で、光ディスク（ＣＤ−Ｒ）１０を挿入して装置に装着すると、マイコン８０は、光ディスク１０の製造者を判別する。例えば、マイコン８０は、光ディスク１０のリードイン領域に記録されているＴＯＣ（Table Of Contents）情報からリードアウト領域の開始時間を検出して、ここから光ディスク１０の製造者を判別できる。リードアウト領域はプログラムの終了を表示する領域であり、各ディスク製造者ごとにリードアウト領域の開始時間が違う場合があるために、ここからマイコン８０は、光ディスク１０の製造者を判別できるようになる。
【００２８】
光ディスク１０の製造者が判別されると、マイコン８０は、望ましくは最適の記録方式を適用するためにＲＯＭ８１から判別された製造者及び各記録ピット別に既に貯蔵された各変数を検出するようになる（Ｓ１０）。検出された変数は、マイコン８０のＯＰＣ動作を通じて光ディスク１０の特性による最適または所望する値に調整できる。
【００２９】
以後、記録動作が要請されると（Ｓ２０）、マイコン８０は、各記録ピットに対応して検出された変数のうちからＶＲＤＣ、ＶＷＤＣ１、そしてＶＷＤＣ２（=ＶＷＤＣ１）を望ましくはＲＦ部４０及びデジタル記録信号処理部３０ａに各々印加して、Ｔｄ、Ｔｆ、Ｔａ及びＴｂは、望ましくはデジタル記録信号処理部３０ａに印加されるが、この時、Ｔａはデューティー比５０％であって、望ましいＴｂは、Ｔ／３２である。
【００３０】
デジタル記録信号処理部３０ａは、印加されるＴｄ、Ｔｆに基づいてＶＷＤＣ１の駆動パルスであるＰＥＯ（メインパルス）と、印加されるＴａ及びＴｂに基づいてＶＷＤＣ２の駆動パルスであるＬＤＨ（サブパルス）と、さらに、印加されるＶＲＤＣの駆動パルスであるＰＷＯとを各々発生し（Ｓ２１）、これらをＬＤ駆動器５０に出力する。この時、デジタル記録信号処理部３０ａは、マイコン８０から印加されるＴａ値に基づいてサブパルスを望ましくはメインパルスよりも所定時間先に出力する（Ｓ２２）。すなわちＴａ値が所定のデューティー比（例えば５０％）ならば、デジタル記録信号処理部３０ａは、望ましくはサブパルスの幅（Ｔ／３２）の５０％をメインパルスより速く出力する。
【００３１】
上記において、メインパルスとサブパルスの信号レベルは、同一とすることができ、出力されるＰＥＯ、ＬＤＨ、ＰＷＯは、図７に例示したものと同じである。一方、ＲＦ部４０は、望ましくは印加される駆動電圧ＶＲＤＣ、ＶＷＤＣ１、ＶＷＤＣ２をＬＤ駆動器５０に出力するが、出力されるＶＲＤＣ、ＶＷＤＣ１、ＶＷＤＣ２は、図８に例示したものと同じである。
【００３２】
ＬＤ駆動器５０では、デジタル記録信号処理部３０ａから印加される駆動パルスＰＥＯ、ＬＤＨ、ＰＷＯによるスイッチング動作を通じて、ＲＦ部４０から印加される駆動電圧ＶＲＤＣ、ＶＷＤＣ１、ＶＷＤＣ２を出力できる。したがって、ＬＤ駆動器５０は、図９に示した形態のＬＤ駆動信号を光ピックアップ２０のＬＤに出力する（Ｓ２３）。これにより、光ピックアップ２０はＬＤ駆動信号により調節される光パワーで光ディスク１０上にデータを記録するようになり（Ｓ２４）、上記の記録動作は、記録動作が終了する時まで引続き行われる（Ｓ３０）。
【００３３】
図９のように本発明によるＬＤ駆動信号は、メインパルスのライジングエッジ部分とサブパルスのライジングエッジ部分が重なる。ＬＤ駆動信号のライジングエッジ部分はサブパルスの波形によるので、ＬＤ駆動信号のライジング時間を減らすことが可能である。
【００３４】
図１０は、従来のモード１（Orange １）及びモード２（Orange ２）の記録方法、および本発明の記録方法による光ディスク上の記録形態を比較して示したものである。従来のモード１記録方法による記録形態が最も安定的であるが、本発明による記録方法による記録形態は、従来のモード２記録方法に比べて十分に再生が可能な記録ピットを形成していることが分かる。
【００３５】
以上のように、本発明は、製造者及び各記録ピットに対応して予め貯蔵された変数を検出し(S10)、この変数に基づいてメインパルスと所定幅を有するサブパルスを発生し(S21)。サブパルスは、メインパルスよりも所定時間前に出力し(S22)、これらのパルスの下で光ピックアップ内のレーザーダイオードを駆動する駆動信号を出力して(S23)、光ディスク上にデータを記録する(S24)。従って、本発明は、オーバーパワーのない駆動信号により記録ピットを形成して最適の記録方式を適用する変数の検出と貯蔵による作業量及び所要時間を少なくし、かつモード１のように所望時点に所望の大きさの記録ピットを正確に安定して形成するので、記録品質を向上させることができる。
【００３６】
本発明は、サブ駆動電圧ＶＷＤＣ２を設定しなくても良く、Ｔａ及びＴｂも各記録ピット別に同一な値を用いるので、従来のモード１記録方法に比べてシステム資源（例えば、変数の検出及び貯蔵による作業量及び時間）の消費が少なくて、データ記録の品質も従来のモード１記録方法の水準と同様で、従来のモード２記録方法に比べて正確で安定した記録ピットを形成できるようになる。
【００３７】
以上、前述した本発明の望ましい実施形態は、例示の目的のために開示されたものであって、当業者ならば添付された特許請求の範囲に開示された本発明の技術的思想とその技術的範囲内で、多様な他の実施形態を改良、変更、代替または付加などが可能であることである。
【図面の簡単な説明】
【００３８】
【図１】図１は、従来のモード１記録方法によるＬＤ駆動信号及びＬＤ駆動信号による光ディスク上の記録形態を例に示した図である。
【図２】図２は、従来のモード１記録方法による駆動パルスＰＥＯ、ＬＤＨ、ＰＷＯの例を示した図である。
【図３】図３は、従来のモード１記録方法による駆動電圧ＶＲＤＣ、ＶＷＤＣ１、ＶＷＤＣ２の例を示した図である。
【図４】図４は、従来のモード２記録方法によるＬＤ駆動信号及びＬＤ駆動信号による光ディスク上の記録形態を例に示した図である。
【図５】図５は、本発明による光ディスクにデータを記録するためのレーザーダイオード駆動装置を備える光ディスク装置の望ましい一実施形態の構成を示した図である。
【図６】図６は、本発明による光ディスクにデータを記録するためのレーザーダイオード駆動方法に対する望ましい一実施形態の動作フローチャートを示した図である。
【図７】図７は、本発明の記録方法による駆動パルスＰＥＯ、ＬＤＨ、ＰＷＯの例を示した図である。
【図８】図８は、本発明の記録方法による駆動電圧ＶＲＤＣ、ＶＷＤＣ１、ＶＷＤＣ２の例を示した図である。
【図９】図９は、本発明の記録方法によるＬＤ駆動信号及びＬＤ駆動信号による光ディスク上の記録形態を例に示した図である。
【図１０】図１０は、従来のモード１記録方法、モード２記録方法、さらに本発明の記録方法による光ディスク上の記録形態を比較して示した図である。
【符号の説明】
【００３９】
１０：光ディスク
２０：光ピックアップ
３０ａ：デジタル記録信号処理部
３０ｂ：デジタル再生信号処理部
４０：ＲＦ部
５０：ＬＤ駆動器
６０：サーボー部
７０：ドライブ部
８０：マイコン
８１：ＲＯＭ
【図１】
2004213877.tif 000003
【図２】
2004213877.tif 000004
【図３】
2004213877.tif 000005
【図４】
2004213877.tif 000006
【図５】
2004213877.tif 000007
【図６】
2004213877.tif 000008
【図７】
2004213877.tif 000009
【図８】
2004213877.tif 000010
【図９】
2004213877.tif 000011
【図１０】
2004213877.tif 000012